(57)【要約】【課題】複数の原稿の画像を読取設定を切り替えながら読み取らせる際のユーザの手間を軽減できる、画像読取装置、画像読取方法およびプログラムを提供する。【解決手段】原稿の画像の読取開始が指示されると、原稿束読取ジョブで利用されるスキャン設定の群に含まれる利用順「１」のスキャン設定がＲＡＭから読み出されて、利用順「１」のスキャン設定による原稿Ｓの画像の読み取りが開始される。トレイに支持されている原稿がなくなり、その空になったトレイに原稿が継ぎ足しで支持されると（Ｓ２６：ＹＥＳ）、ＲＡＭから利用順「１」の次の利用順「２」のスキャン設定が読み出され（Ｓ２９）、利用順「２」のスキャン設定を用いて、トレイ１２に継ぎ足された原稿Ｓの画像が読み取られる。【選択図】図５Ｂ
2018174513.tif 000002
【特許請求の範囲】
【請求項１】
原稿を支持する原稿台と、
前記原稿台に支持された原稿を検出する検出部と、
前記原稿台から原稿を搬送する搬送部と、
前記搬送部により搬送される原稿の画像を読み取る読取部と、
記憶部と、
制御部と
を備え、
前記制御部は、
前記読取部による読み取りについての読取設定を他の読取設定と関連づけて、複数の読取設定を前記記憶部に登録する登録処理と、
原稿の画像の読取開始の指示を受け付ける第１受付処理と、
前記第１受付処理で前記読取開始の指示を受け付けたことに応じて、前記搬送部および前記読取部を制御して、前記記憶部に登録されている前記複数の読取設定のうちの１つである第１読取設定を用いて原稿の画像を読み取る第１読取処理と、
前記第１読取処理の開始後、前記検出部により原稿が一旦検出されなくなった後に再び検出されたかを判断する第１判断処理と、
前記第１判断処理で前記検出部により原稿が再び検出されたと判断したことに応じて、前記記憶部に登録されている前記複数の読取設定の中から前記第１読取設定に関連づけられた前記読取設定を、第２読取設定として特定する特定処理と、
前記搬送部および前記読取部を制御して、前記特定処理で特定された前記第２読取設定を用いて原稿の画像を読み取る第２読取処理とを実行する、画像読取装置。
【請求項２】
請求項１に記載の画像読取装置であって、
前記制御部は、
前記第１判断処理の後、前記第１読取処理で画像を読み取った原稿の枚数が所定枚数以上であるかを判別する判別処理と、
前記判別処理によって原稿の枚数が所定枚数以上であると判別されたことに応じて、前記記憶部に登録されている前記複数の読取設定のうちの１つの読取設定の選択を受け付ける第２受付処理とを実行し、
前記判別処理で前記画像を読み取った原稿の枚数が所定枚数以上であると判別した場合、前記特定処理には、前記記憶部に登録されている前記複数の読取設定の中から前記第２受付処理で受け付けた選択が示す前記読取設定を、前記第２読取設定として特定する、画像読取装置。
【請求項３】
請求項２に記載の画像読取装置であって、
前記制御部は、
前記登録処理において、前記読取設定を他の前記読取設定に対して順序づけて前記記憶部に登録し、
前記判別処理で前記画像を読み取った原稿の枚数が所定枚数未満であると判別した場合、前記特定処理において、前記記憶部に登録されている前記複数の読取設定の中から前記第１読取設定の次の順序の前記読取設定を、前記第２読取設定として特定する、画像読取装置。
【請求項４】
請求項３に記載の画像読取装置であって、
前記制御部は、
前記登録処理において、前記読取設定を前記第２読取処理に用いることの確認を行うかを示す確認情報を前記読取設定のそれぞれに関連づけて前記記憶部に登録し、
前記第２受付処理は、さらに、前記判別処理で前記画像を読み取った原稿の枚数が所定枚数未満であると判別し、かつ、前記第１読取設定の次の順序の前記読取設定に関連づけられた前記確認情報が確認を行うことを示す場合、前記記憶部に登録されている前記複数の読取設定のうちの１つの読取設定の選択を受け付け、
前記特定処理は、前記判別処理で前記画像を読み取った原稿の枚数が所定枚数未満であると判別し、かつ、前記第１読取設定の次の順序の前記読取設定に関連づけられた前記確認情報が確認を行うことを示す場合、前記記憶部に登録されている前記複数の読取設定の中から前記第２受付部に受け付けられた操作に応じた前記読取設定を、前記第２読取設定として特定する、画像読取装置。
【請求項５】
請求項４に記載の画像読取装置であって、
前記制御部は、
前記判別処理で前記画像を読み取った原稿の枚数が所定枚数未満であると判別し、かつ、前記第１読取設定の次の順序の前記読取設定に関連づけられた前記確認情報が確認を行うことを示す場合、前記第１読取設定の次の順序の前記読取設定が予め選択された状態で、前記記憶部に登録されている前記複数の読取設定の中から１つの前記読取設定を選択する選択画面を表示部に表示させる指示を出力する表示処理を実行し、
前記特定処理において、前記第２受付部に受け付けられる操作により前記選択画面上で選択された前記読取設定を、前記第２読取設定として特定する、画像読取装置。
【請求項６】
請求項２〜５のいずれか一項に記載の画像読取装置であって、
前記所定枚数は、前記原稿台に支持可能な原稿の枚数として前記記憶部に予め登録された値である、画像読取装置。
【請求項７】
請求項２〜６のいずれか一項に記載の画像読取装置であって、
前記制御部は、
前記第２読取処理の開始後、前記第１判断処理で前記検出部により原稿が再び検出されたと判断した場合、前記特定処理において、前記記憶部に登録されている前記複数の読取設定の中から前記第２読取設定に関連づけられた前記読取設定を、新たな第２読取設定として特定し、
前記第１読取設定に直接に関連づけられた前記読取設定および他の前記読取設定を介して間接に関連付けられた前記読取設定のすべてが前記第２読取処理に用いられたことを判断する第２判断処理を実行し、
前記第２判断処理で前記第１読取設定に直接または間接に関連づけられた前記読取設定のすべてが前記第２読取処理に用いられたと判断し、かつ、最近の前記第２読取処理で画像を読み取った原稿の枚数が前記所定枚数以上である場合、前記特定処理を新たに実行しない、画像読取装置。
【請求項８】
原稿を支持する原稿台と、
前記原稿台に支持された原稿を検出する検出部と、
前記原稿台から原稿を搬送する搬送部と、
前記搬送部により搬送される原稿の画像を読み取る読取部と、
記憶部と、
制御部と
を備える画像読取装置で実行される画像読取方法であって、
前記制御部が、
前記読取部による読み取りについての読取設定を他の読取設定と関連づけて、複数の読取設定を前記記憶部に登録する登録処理と、
原稿の画像の読取開始の指示を受け付ける第１受付処理と、
前記第１受付処理で前記読取開始の指示を受け付けたことに応じて、前記搬送部および前記読取部を制御して、前記記憶部に登録されている前記複数の読取設定のうちの１つである第１読取設定を用いて原稿の画像を読み取る第１読取処理と、
前記第１読取処理の開始後、前記検出部により原稿が一旦検出されなくなった後に再び検出されたかを判断する第１判断処理と、
前記第１判断処理で前記検出部により原稿が再び検出されたと判断したことに応じて、前記記憶部に登録されている前記複数の読取設定の中から前記第１読取設定に関連づけられた前記読取設定を、第２読取設定として特定する特定処理と、
前記搬送部および前記読取部を制御して、前記特定処理で特定された前記第２読取設定を用いて原稿の画像を読み取る第２読取処理とを実行する、画像読取方法。
【請求項９】
原稿を支持する原稿台と、
前記原稿台に支持された原稿を検出する検出部と、
前記原稿台から原稿を搬送する搬送部と、
前記搬送部により搬送される原稿の画像を読み取る読取部と、
記憶部と
を備える画像読取装置のコンピュータにインストールされるプログラムであって、
前記コンピュータに、
前記読取部による読み取りについての読取設定を他の読取設定と関連づけて、複数の読取設定を前記記憶部に登録する登録処理と、
原稿の画像の読取開始の指示を受け付ける第１受付処理と、
前記第１受付処理で前記読取開始の指示を受け付けたことに応じて、前記搬送部および前記読取部を制御して、前記記憶部に登録されている前記複数の読取設定のうちの１つである第１読取設定を用いて原稿の画像を読み取る第１読取処理と、
前記第１読取処理の開始後、前記検出部により原稿が一旦検出されなくなった後に再び検出されたかを判断する第１判断処理と、
前記第１判断処理で前記検出部により原稿が再び検出されたと判断したことに応じて、前記記憶部に登録されている前記複数の読取設定の中から前記第１読取設定に関連づけられた前記読取設定を、第２読取設定として特定する特定処理と、
前記搬送部および前記読取部を制御して、前記特定処理で特定された前記第２読取設定を用いて原稿の画像を読み取る第２読取処理とを実行させる、プログラム。
【発明の詳細な説明】
【技術分野】
【０００１】
本発明は、画像読取装置、画像読取装置で実行される画像読取方法および画像読取装置のコンピュータにインストールされるプログラムに関する。
【背景技術】
【０００２】
従来、ＡＤＦ（Auto Document Feeder）方式により画像を読み取る画像読取装置が提供されている。ＡＤＦ方式では、原稿セット位置にセットされた原稿が１枚ずつ筐体内に送り込まれて、筐体内のＣＩＳ（Contact Image Sensor）ユニットにより原稿の画像が読み取られる。
【０００３】
たとえば、ＡＤＦ方式の画像読取装置を使用して、複数の原稿束になった原稿の画像を原稿束ごとに異なる読取設定で読み取らせる場合がある。この場合、ユーザは、原稿束ごとに、原稿束についての読取設定、原稿セット位置への原稿束のセットおよび読取開始の指示の作業を繰り返す必要がある。すなわち、ユーザは、１束目の原稿束についての読取設定を行い、１束目の原稿束を原稿セット位置にセットした後、１束目の原稿束についての読取開始を指示する。そして、１束目の原稿束の原稿の画像が読み取られた後、ユーザは、２束目の原稿束についての読取設定を行い、２束目の原稿束を原稿セット位置にセットした後、２束目の原稿束についての読取開始を指示する。３束目以降についても同様である。
【先行技術文献】
【特許文献】
【０００４】
【特許文献１】特開２０１６−１１１５２５号公報
【発明の概要】
【発明が解決しようとする課題】
【０００５】
かかる作業の繰り返しは、手間がかかり、ユーザにとって面倒である。
【０００６】
本発明の目的は、複数の原稿の画像を読取設定を切り替えながら読み取らせる際のユーザの手間を軽減できる、画像読取装置、画像読取方法およびプログラムを提供することである。
【課題を解決するための手段】
【０００７】
前記の目的を達成するため、本発明の一の局面に係る画像読取装置は、原稿を支持する原稿台と、前記原稿台に支持された原稿を検出する検出部と、前記原稿台から原稿を搬送する搬送部と、前記搬送部により搬送される原稿の画像を読み取る読取部と、記憶部と、制御部とを備え、前記制御部は、前記読取部による読み取りについての読取設定を他の読取設定と関連づけて、複数の読取設定を前記記憶部に登録する登録処理と、原稿の画像の読取開始の指示を受け付ける第１受付処理と、前記第１受付処理で前記読取開始の指示を受け付けたことに応じて、前記搬送部および前記読取部を制御して、前記記憶部に登録されている前記複数の読取設定のうちの１つである第１読取設定を用いて原稿の画像を読み取る第１読取処理と、前記第１読取処理の開始後、前記検出部により原稿が一旦検出されなくなった後に再び検出されたかを判断する第１判断処理と、前記第１判断処理で前記検出部により原稿が再び検出されたと判断したことに応じて、前記記憶部に登録されている前記複数の読取設定の中から前記第１読取設定に関連づけられた前記読取設定を、第２読取設定として特定する特定処理と、前記搬送部および前記読取部を制御して、前記特定処理で特定された前記第２読取設定を用いて原稿の画像を読み取る第２読取処理とを実行する。
【０００８】
この構成によれば、記憶部には、読取設定が他の読取設定と関連づけられて登録される。原稿の画像の読取開始が指示されると、記憶部に登録されている読取設定の１つである第１読取設定を用いた原稿の画像の読み取りが開始される。原稿台から原稿が順次に搬送されて、原稿台に支持されている原稿がなくなり、その空になった原稿台に原稿が継ぎ足しで支持されると、記憶部に登録されている複数の読取設定の中から第１読取設定に関連づけられている第２読取設定が特定される。そして、第２読取設定を用いて、原稿台に継ぎ足された原稿の画像が読み取られる。
【０００９】
そのため、原稿台に継ぎ足された原稿についての読取設定を行う必要をなくすことができる。これにより、複数の原稿の画像を読取設定を切り替えながら読み取らせる際のユーザの手間を軽減することができる。
【００１０】
なお、本発明は、画像読取装置の形態で実現することができるだけでなく、たとえば、画像読取装置で実行される画像読取方法及び画像読取装置のコンピュータにインストールされるプログラムの形態で実現することもできる。
【発明の効果】
【００１１】
本発明によれば、原稿台に継ぎ足された原稿についての読取設定を行う必要をなくすことが可能となるので、複数の原稿の画像を読取設定を切り替えながら読み取らせる際のユーザの手間を軽減することができる。
【図面の簡単な説明】
【００１２】
【図１】本発明の一実施形態に係る画像読取装置の図解的な断面図である。
【図２】画像読取装置の電気的構成を示すブロック図である。
【図３】登録処理の流れを示すフローチャートである。
【図４】ＲＡＭに登録されているスキャン設定の内容の一例を示す図である。
【図５Ａ】原稿束読取処理の流れを示すフローチャート（その１）である。
【図５Ｂ】原稿束読取処理の流れを示すフローチャート（その２）である。
【発明を実施するための形態】
【００１３】
以下では、本発明の実施の形態について、添付図面を参照しつつ詳細に説明する。
【００１４】
＜機械的構成＞
図１に示される画像読取装置１は、ＡＤＦ（Auto Document Feeder）方式により画像を読み取るスキャナである。画像読取装置１は、筐体１１およびトレイ１２（原稿台の一例）を備えている。
【００１５】
筐体１１は、画像読取装置１の外殻をなしている。画像読取装置１が水平面に設置された状態で、筐体１１の第１側面１３は、その水平面に対してほぼ垂直に立ち上がり、第１側面１３に対して間隔を空けて対向する第２側面１４は、上側に向かうにつれて第１側面１３から離間するよう傾斜している。第２側面１４の高さは、第１側面１３の高さよりも低く、第２側面１４の上端から第１側面１３の上端に向けて延びる上面１５は、第１側面１３に近い箇所ほど上側に位置するように傾斜している。
【００１６】
なお、以下の説明で使用する前後および左右の各方向は、画像読取装置１を第２側面１４側から見た状態を基準として規定した方向である。
【００１７】
第１側面１３の上端縁と上面１５の後端縁との間には、隙間が設けられており、トレイ１２は、その隙間から後上側に傾斜して延びている。トレイ１２は、複数枚のシート状の原稿Ｓをそれらが積み重なった積層状態で支持可能に構成されている。
【００１８】
第１側面１３の上端縁とトレイ１２との間は、トレイ１２に支持された原稿Ｓが差し込まれる差込口１６である。また、第２側面１４には、原稿Ｓを筐体１１外に排出するための排出口１７が形成されている。筐体１１内には、差込口１６から排出口１７に向けて前下がりに傾斜する原稿搬送路１８が設けられている。
【００１９】
画像読取装置１は、フィードローラ２１（搬送部の一例）、リバースローラ２２（搬送部の一例）、搬送ローラ対２３（搬送部の一例）および排出ローラ対２４（搬送部の一例）を備えている。
【００２０】
フィードローラ２１、リバースローラ２２、搬送ローラ対２３および排出ローラ対２４は、それぞれ左右方向に延びる回転軸線まわりに回転可能に設けられている。フィードローラ２１およびリバースローラ２２は、原稿搬送路１８においてトレイ１２の下端部よりも下流に配置される。なお、差込口１６が原稿搬送路１８の上流端を規定し、排出口１７が原稿搬送路１８の下流端を規定する。リバースローラ２２の周面は、フィードローラ２１の周面に前上側から当接している。搬送ローラ対２３は、原稿搬送路１８においてフィードローラ２１およびリバースローラ２２よりも下流に配置されている。排出ローラ対２４は、排出口１７の後側の位置に、搬送ローラ対２３と間隔を空けて配置されている。
【００２１】
原稿搬送路１８において、搬送ローラ対２３と排出ローラ対２４との間には、原稿Ｓの画像を読み取る第１画像読取部３１および第２画像読取部３２が設けられている。
【００２２】
第１画像読取部３１は、原稿搬送路１８の下側に、原稿読取面３３を原稿搬送路１８側に向けた状態で配置されている。第１画像読取部３１は、図２に示されるように、ＣＩＳ（Contact Image Sensor）３４およびＡＦＥ（Analog Front End）３５などを備えている。第１画像読取部３１では、原稿読取面３３に対向する原稿Ｓの下側の面の画像がＣＩＳ３４によって読み取られる。ＣＩＳ３４から出力されたアナログ画像信号は、ＡＦＥ３５により、デジタル画像データに変換されて制御部５５に対して出力される。これにより、第１画像読取部３１による画像の読み取りが達成される。
【００２３】
第２画像読取部３２は、原稿搬送路１８の上側に、第１画像読取部３１に対して前側（原稿Ｓの搬送方向の下流側）に位置をずらして、原稿読取面３６を原稿搬送路１８側に向けた状態で配置されている。第２画像読取部３２は、ＣＩＳ３７およびＡＦＥ３８などを備えている。第２画像読取部３２では、原稿読取面３６に対向する原稿Ｓの上側の面の画像がＣＩＳ３７によって読み取られる。ＣＩＳ３７から出力されたアナログ画像信号は、ＡＦＥ３８により、デジタル画像データに変換されて制御部５５に対して出力される。これにより、第２画像読取部３２による画像の読み取りが達成される。
【００２４】
また、画像読取装置１は、図１に示されるように、トレイ１２に支持されている原稿Ｓを検出する原稿センサ４１を備えている。原稿センサ４１は、例えば、原稿Ｓとの接触に応じて回動可能に保持された回動部材と、その回動部材の回動を検出する光学センサとで構成されてよい。光学センサは発光部及び受光部を備え、発光部から発光された光が受光部によって受光されたか否かを検知し、検知結果を示す信号を制御部５５に出力する。例えば、原稿Ｓが回動部材に接触していない場合、回動部材は発光部から発光された光を遮り、受光部は光を検知しない。一方、原稿Ｓが回動部材に接触している場合、回動部材が回動することにより、発光部から発光された光は遮られず、受光部が光を検知する。ただし、発光部と受光部とを、原稿搬送路１８を挟んで対向させることにより、原稿Ｓが光を遮ったか否かを検知してもよい。この場合、回動部材は不要になる。
【００２５】
＜読取動作＞
原稿Ｓの画像の読み取りの際には、トレイ１２上に原稿Ｓが載置される。
【００２６】
トレイ１２に支持される原稿Ｓは、差込口１６内に、先端部がフィードローラ２１およびリバースローラ２２に当接するまで差し込まれる。原稿Ｓがその位置まで差し込まれると、原稿センサ４１から原稿Ｓを検出したことを表す検出信号（オン信号）が出力される。
【００２７】
原稿の画像の読取開始に際して、フィードローラ２１およびリバースローラ２２に対して、後述の第１モータ５１及び第２モータ５２によって、右側から見て反時計回りに回転する方向にトルクが付与される。このトルクによりフィードローラ２１が反時計回りに回転することで、トレイ１２に支持されている原稿Ｓのうちの最下の原稿Ｓにフィードローラ２１から搬送力が付与され、最下の原稿Ｓがフィードローラ２１とリバースローラ２２との間に引き込まれる。リバースローラ２２は、非図示のトルクリミッタを介して、第２モータ５２からの駆動力が伝達される。トルクリミッタの空転トルクは、原稿Ｓとリバースローラ２２との間の摩擦力、及びフィードローラ２１とリバースローラ２２との間の摩擦力によって空転する値に設定されている。一方、トルクリミッタの空転トルクは、原稿Ｓ同士の間の摩擦力によっては空転しない値に設定されている。このため、フィードローラ２１とリバースローラ２２との間に原稿Ｓが存在しない場合、又はフィードローラ２１とリバースローラ２２との間に原稿Ｓが一枚だけ存在する場合、リバースローラ２２は、第２モータ５２からの駆動力に逆らって、時計回りに回転する。一方、フィードローラ２１とリバースローラ２２との間に原稿Ｓが２枚以上存在する場合、リバースローラ２２は、第２モータ５２からの駆動力に応じて、反時計回りに回転する。そのため、引き込まれた最下の原稿Ｓとその上の原稿Ｓとが分離され、１枚の原稿Ｓがフィードローラ２１とリバースローラ２２との間を通過して、原稿搬送路１８に送り込まれる。
【００２８】
また、搬送ローラ対２３の下側のローラおよび排出ローラ対２４の下側のローラが反時計回りに回転され、それらの上側のローラが下側のローラに従動して回転する。原稿搬送路１８に送り込まれた原稿Ｓは、搬送ローラ対２３および排出ローラ対２４から搬送力を受けて、原稿搬送路１８を下流に向けて搬送され、排出口１７から筐体１１外に排出される。
【００２９】
原稿Ｓが原稿搬送路１８を搬送される途中、原稿Ｓの下側の面が第１画像読取部３１の原稿読取面３３に対向したときに、その下側の面の画像が第１画像読取部３１により読み取られる。また、原稿Ｓの上側の面が第２画像読取部３２の原稿読取面３６に対向したときに、その上側の面の画像が第２画像読取部３２により読み取られる。
【００３０】
＜電気的構成＞
画像読取装置１は、図２に示されるように、フィードローラ２１の駆動源である第１モータ５１と、リバースローラ２２、搬送ローラ対２３および排出ローラ対２４の駆動源である第２モータ５２とを備えている。第１モータ５１及び第２モータ５２は、例えば、ステッピングモータである。
【００３１】
なお、画像読取装置１には、フィードローラ２１、リバースローラ２２、搬送ローラ対２３および排出ローラ対２４の共通の駆動源として、１個のモータが備えられていてもよい。
【００３２】
また、画像読取装置１は、ネットワークインタフェース（Ｉ／Ｆ）５３、ＵＳＢ（Universal Serial Bus）インタフェース（Ｉ／Ｆ）５４および制御部５５を備えている。
【００３３】
ネットワークインタフェース５３は、ＰＣ（Personal Computer）などの外部装置とのＬＡＮ（Local Area Network）を介したデータ通信のためのインタフェースである。通信の方式は、無線通信方式であってもよいし、有線通信方式であってもよい。
【００３４】
ＵＳＢインタフェース５４は、ＵＳＢデバイスとのデータ通信のためのインタフェースである。ＵＳＢインタフェース５４には、ＵＳＢデバイスを接続するためのポートが設けられている。画像読取装置１は、ＵＳＢインタフェース５４を介して、外部装置との間でデータ通信を行ってもよい。
【００３５】
制御部５５は、ＣＰＵ５６（制御部の一例）、ＲＯＭ５７およびＲＡＭ５８（記憶部の一例）を備えている。制御部５５には、原稿センサ４１が接続されており、原稿センサ４１の検出信号が入力される。また、制御部５５には、第１画像読取部３１、第２画像読取部３２、第１モータ５１、第２モータ５２、ネットワークインタフェース５３およびＵＳＢインタフェース５４が接続されている。
【００３６】
ＣＰＵ５６は、制御部５５に入力される信号などに基づいて、ＲＯＭ５７に記憶されているプログラムを実行することにより、第１画像読取部３１、第２画像読取部３２、第１モータ５１、第２モータ５２、ネットワークインタフェース５３およびＵＳＢインタフェース５４などの各部を制御し、また、第１画像読取部３１、第２画像読取部３２、ネットワークインタフェース５３およびＵＳＢインタフェース５４などからデータを受け取る。ＣＰＵ５６による制御（プログラム）の実行時、ＲＡＭ５８がワークエリアとして使用される。ＲＡＭ５８には、ＮＶＲＡＭ（Non Volatile RAM）などの不揮発性メモリが含まれていてもよい。
【００３７】
＜登録処理＞
画像読取装置１では、複数の原稿束になった原稿の画像を原稿束ごとにスキャン設定を切り替えて読み取る原稿束読取ジョブを実行可能である。この原稿束読取ジョブの実行のためには、スキャン設定の事前登録が必要である。
【００３８】
図３に示される処理は、スキャン設定を登録する登録処理である。スキャン設定の登録先（保存先）は、制御部５５のＲＡＭ５８であるが、画像読取装置１の電源がオフにされても登録データが消失しないよう、スキャン設定は、ＲＡＭ５８に含まれる不揮発性メモリに登録されるか、または、バッテリバックアップにより保護される。あるいは、ＲＯＭ５７がＥＥＰＲＯＭを含む場合、スキャン設定は、ＲＯＭ５７のＥＥＰＲＯＭに登録されてもよい。
【００３９】
スキャン設定は、第１画像読取部３１および第２画像読取部３２による画像の読み取りに関する設定である。その設定の内容には、たとえば、図４に示されるように、読取解像度、読取モード、原稿のサイズおよび確認情報が含まれる。読取モードは、カラー画像の読み取りに適したカラーモードまたは白黒画像の読み取りに適した白黒モードの一方である。確認情報は、当該スキャン設定を利用することの確認の要否を示す情報である。また、スキャン設定には、ワークフロー、つまりスキャン設定の切り替えのパターンが含まれる。
【００４０】
スキャン設定の登録は、たとえば、ユーザがネットワークインタフェース５３又はＵＳＢインタフェース５４に接続されている外部装置を操作することにより行うことができる。すなわち、外部装置の操作により、スキャン設定の内容と、当該スキャン設定が利用されるワークフローを特定するワークフロー番号と、ワークフローで当該スキャン設定が利用される順番（利用順）との入力が行われる。そして、その入力内容の送信が指示されると、入力内容が外部装置から画像読取装置１に向けて送信される。また、画像読取装置１に各種の操作キーを備える操作部と液晶表示器などの表示部とが設けられている場合には、スキャン設定の登録は、操作部に対する入力によって行われてもよい。なお、操作部は、表示部に一体的に設けられるタッチキーであってもよい。
【００４１】
ＣＰＵ５６は、ネットワークインタフェース５３又はＵＳＢインタフェース５４に接続されている外部装置からスキャン設定を受信すると、図３に示す登録処理を開始する。ＣＰＵ５６は、受信したスキャン設定をＲＡＭ５８に含まれる不揮発性メモリに登録する（Ｓ１１）。
【００４２】
ＣＰＵ５６は、１つのスキャン設定を不揮発性メモリに登録すると、次のスキャン設定を受信したかを判別する（Ｓ１２）。先のスキャン設定の受信から一定時間内に次のスキャン設定を受信した場合、スキャン設定の次の登録があると判別して（Ｓ１２：ＹＥＳ）、その受信したスキャン設定を不揮発性メモリに登録する。
【００４３】
一方、次のスキャン設定を受信しない場合、ＣＰＵ５６は、次のスキャン設定の次の登録はないと判別して（Ｓ１２：ＮＯ）、登録処理を終了する。
【００４４】
この登録処理により、ＲＡＭ５８には、スキャン設定の内容とともにワークフローが登録される。図４に示される一例では、ワークフロー番号「１」で特定されるワークフローで「設定１」、「設定２」および「設定３」がこの順に利用される場合、「設定１」については、解像度「６００ｄｐｉ」、読取モード「カラーモード」および原稿サイズ「Ａ４」の設定内容とともに、ワークフロー番号「１」およびそのワークフローでの利用順「１」が設定され、それらの内容が不揮発性メモリに登録される。「設定２」については、解像度「３００ｄｐｉ」、読取モード「白黒モード」および原稿サイズ「Ａ４」の設定内容とともに、ワークフロー番号「１」およびそのワークフローでの利用順「２」が設定され、それらの内容が不揮発性メモリに登録される。「設定３」については、解像度「３００ｄｐｉ」、読取モード「カラーモード」および原稿サイズ「Ａ４」の設定内容とともに、ワークフロー番号「１」およびそのワークフローでの利用順「３」が設定され、それらの内容が不揮発性メモリに登録される。
【００４５】
＜原稿束読取処理＞
原稿束読取ジョブの実行のため、ＣＰＵ５６により、図５Ａ，５Ｂに示される原稿束読取処理が実行される。原稿束読取処理は、画像読取装置１の電源がオンされたことに応じてその実行が開始される。
【００４６】
原稿束読取ジョブの実行は、たとえば、ネットワークインタフェース５３に接続されている外部装置から画像読取装置１に指示される。すなわち、外部装置の操作により、原稿束読取ジョブのワークフローに対応するワークフロー番号および原稿束読取ジョブに係る読取開始（原稿束読取ジョブの実行開始）が入力されて、その入力内容の送信が指示されると、入力内容が外部装置から画像読取装置１に向けて送信される。また、画像読取装置１に各種の操作キーを備える操作部と液晶表示器などの表示部とが設けられている場合には、原稿束読取ジョブの実行開始の指示は、操作部に対する入力によって行われてもよい。なお、前述したように、操作部は、表示部に一体的に設けられるタッチキーであってもよい。
【００４７】
原稿束読取処理では、ＣＰＵ５６は、原稿センサ４１からトレイ１２に支持された原稿Ｓを検出したことを表す検出信号が入力されている状態で、原稿束読取ジョブに係る読取開始の指示を受信したかを判別する（Ｓ２１）。
【００４８】
読取開始の指示を受信した場合（Ｓ２１：ＹＥＳ）、ＣＰＵ５６は、ＲＡＭ５８に登録されているスキャン設定の中から、ワークフロー番号と紐づけられたスキャン設定の群を特定する。そして、その特定したスキャン設定群の中から、利用順「１」のスキャン設定（最初のスキャン設定）を特定する（Ｓ２２）。
【００４９】
その後、ＣＰＵ５６は、利用順「１」のスキャン設定による原稿Ｓの画像の読み取りを開始する（Ｓ２３）。
【００５０】
１ページの原稿Ｓの画像が第１画像読取部３１および第２画像読取部３２の少なくとも一方（以下、「画像読取部３１，３２」という。）に読み取られると、ＣＰＵ５６は、原稿センサ４１の検出信号を確認し、次の原稿Ｓがトレイ１２に支持されているかを判別する（Ｓ２４）。
【００５１】
次の原稿Ｓがトレイ１２に支持されている場合（Ｓ２４：ＹＥＳ）、ＣＰＵ５６は、次の原稿Ｓの画像を画像読取部３１，３２に読み取らせる（Ｓ２３）。
【００５２】
トレイ１２に支持されていたすべての原稿Ｓの画像が読み取られて、原稿センサ４１からトレイ１２に原稿Ｓが支持されていないことを表す検出信号が出力されると、ＣＰＵ５６は、次の原稿Ｓがないと判別して（Ｓ２４：ＮＯ）、現在利用中のスキャン設定が原稿束読取ジョブのワークフロー番号で特定されるスキャン設定群の中の利用順が最後のスキャン設定であるかを判別する（Ｓ２５）。
【００５３】
現在利用中のスキャン設定が最後のスキャン設定でない場合（Ｓ２５：ＮＯ）、ＣＰＵ５６は、トレイ１２に原稿Ｓが継ぎ足しで支持されたかを判別する（図５ＢのＳ２６）。
【００５４】
ユーザによりトレイ１２に原稿Ｓが継ぎ足しで支持されるまで、原稿束読取処理は次に進まない（Ｓ２６：ＮＯ）。
【００５５】
ユーザによりトレイ１２に原稿Ｓが継ぎ足しで支持されると（Ｓ２６：ＹＥＳ）、ＣＰＵ５６は、現在利用中のスキャン設定により画像が読み取られた原稿Ｓの枚数（以下、「読取原稿の枚数」という。）がトレイ１２に支持可能な最大の枚数（以下、「最大ＡＤＦ積載枚数」という。）を超えたかを判別する（Ｓ２７）。最大ＡＤＦ積載枚数は、画像読取装置１の工場出荷前にＲＯＭ５７に予め書き込まれる。
【００５６】
読取原稿の枚数が最大ＡＤＦ積載枚数を超えていない場合（Ｓ２７：ＮＯ）、ＣＰＵ５６は、現在利用中のスキャン設定の次の順序のスキャン設定の確認情報がスキャン設定を利用することの確認が必要であることを示すかを判別する（Ｓ２８）。たとえば、現在利用中のスキャン設定が利用順「１」のスキャン設定である場合、利用順「２」のスキャン設定の確認情報がスキャン設定を利用することの確認が必要であることを示すかが判別される。
【００５７】
次の順序のスキャン設定の確認情報がスキャン設定を利用することの確認が不要であることを示す場合（Ｓ２８：ＮＯ）、ＣＰＵ５６は、次の順序のスキャン設定をＲＡＭ５８から読み出して（Ｓ２９）、次の順序のスキャン設定による原稿Ｓの画像の読み取りを開始する（図５ＡのＳ２３）。
【００５８】
一方、次の順序のスキャン設定の確認情報がスキャン設定を利用することの確認が必要であることを示す場合（図５ＡのＳ２８：ＹＥＳ）、ＣＰＵ５６は、次の順序のスキャン設定をデフォルト表示に設定する（Ｓ３０）。
【００５９】
そして、ＣＰＵ５６は、読取開始の指示の送信元の外部装置に向けて、スキャン設定を選択するドロップダウンリスト（プルダウンメニュー）に次の順序のスキャン設定がデフォルトで表示された状態のスキャン設定選択画面をディスプレイに表示させる指示を送信する（Ｓ３１）。
【００６０】
この指示を受けて、外部装置のディスプレイには、スキャン設定選択画面が表示される。ドロップダウンリストには、原稿束読取ジョブのワークフロー番号で特定されるスキャン設定群に含まれるすべてのスキャン設定が表示される。ドロップダウンリストの中から１つのスキャン設定が選択されて、その選択の決定が外部装置に入力されると、外部装置から画像読取装置１に向けて、選択されたスキャン設定を示す選択情報が送信される。この選択情報を画像読取装置１が受信すると、ＣＰＵ５６は、選択情報が示すスキャン設定をＲＡＭ５８から読み出す（Ｓ３２）。ＣＰＵ５６は、選択情報が示すスキャン設定による原稿Ｓの画像の読み取りを開始する（図５ＡのＳ２３）。ドロップダウンリストに次の順序のスキャン設定がデフォルトで表示されるが、現在のスキャン設定が選択されて、現在のスキャン設定での原稿Ｓの画像の読み取りが継続されることもある。
なお、画像読取装置１に各種の操作キーを備える操作部と液晶表示器などの表示部とが設けられている場合には、スキャン設定選択画面の表示指示は、操作部に対する入力によって行われてもよい。なお、前述したように、操作部は、表示部に一体的に設けられるタッチキーであってもよい。
【００６１】
読取原稿の枚数が最大ＡＤＦ積載枚数を超えている場合（Ｓ２７：ＹＥＳ）、ＣＰＵ５６は、スキャン設定を選択するドロップダウンリストにいずれのスキャン設定も表示されていない状態、又は、現在のスキャン設定が表示された状態のスキャン設定選択画面をディスプレイに表示させる指示を送信する（Ｓ３１）。
【００６２】
この指示を受けて、外部装置のディスプレイには、スキャン設定選択画面が表示される。ドロップダウンリストの中から１つのスキャン設定が選択されて、その選択の決定が外部装置に入力されると、外部装置から画像読取装置１に向けて、選択されたスキャン設定を示す選択情報が送信される。この選択情報を画像読取装置１が受信すると、ＣＰＵ５６は、選択情報が示すスキャン設定による原稿Ｓの画像の読み取りを開始する（図５ＡのＳ２３）。
【００６３】
このようにして、ステップＳ２３〜Ｓ３１の処理が繰り返されて、原稿束読取ジョブのワークフロー番号で特定されるスキャン設定群の中の利用順が最後のスキャン設定による原稿Ｓの画像の読み取りが行われて、トレイ１２に支持されている原稿Ｓがなくなると（Ｓ２４：ＮＯ）、現在利用中のスキャン設定が最後のスキャン設定であるから（Ｓ２５：ＹＥＳ）、ＣＰＵ５６は、読取原稿の枚数が最大ＡＤＦ積載枚数を超えているかを判別する（Ｓ３３）。
【００６４】
読取原稿の枚数が最大ＡＤＦ積載枚数を超えていない場合（Ｓ３３：ＮＯ）、ＣＰＵ５６は、最後のスキャン設定の確認情報がスキャン設定を利用することの確認が必要であることを示すかを判別する（Ｓ３４）。
【００６５】
次の順序のスキャン設定の確認情報がスキャン設定を利用することの確認が必要ではないことを示す場合（Ｓ３４：ＮＯ）、ＣＰＵ５６は、原稿束読取処理を終了する。
【００６６】
一方、次の順序のスキャン設定の確認情報がスキャン設定を利用することの確認が必要であることを示す場合（Ｓ３４：ＹＥＳ）、ＣＰＵ５６は、トレイ１２に原稿Ｓが継ぎ足しで支持されたかを判別する（Ｓ３５）。
【００６７】
トレイ１２に支持されている原稿Ｓがなくなってから所定時間内に原稿Ｓが継ぎ足されない場合（Ｓ３５：ＮＯ）、ＣＰＵ５６は、原稿束読取処理を終了する。
なお、外部装置に対して原稿束読取処理の終了を示す入力が行われ、その入力に応じて外部装置から原稿束読取処理の終了指示を受信した場合、トレイ１２に支持されている原稿Ｓがなくなってから所定時間を待たずに、原稿束読取処理が終了されてもよい。画像読取装置１に各種の操作キーを備える操作部と液晶表示器などの表示部とが設けられている場合、原稿束読取処理の終了指示は、操作部に対する入力によって行われてもよい。
【００６８】
所定時間内にトレイ１２に原稿Ｓが継ぎ足しで支持された場合には（Ｓ３５：ＹＥＳ）、ＣＰＵ５６は、現在利用中の最後のスキャン設定のままにして（Ｓ３６）、スキャン設定による原稿Ｓの画像の読み取りを画像読取部３１，３２に行わせる（Ｓ２３）。その後は、ステップＳ２３〜Ｓ２５，Ｓ３３〜Ｓ３６の処理が実行される。
【００６９】
＜作用効果＞
以上のように、原稿束読取ジョブの実行のため、ＲＡＭ５８には、原稿束読取ジョブで利用されるスキャン設定ごとに、その内容、スキャン設定が利用されるワークフローを特定するワークフロー番号およびワークフローでのスキャン設定の利用順が登録される。
【００７０】
原稿Ｓの画像の読取開始が指示されると、原稿束読取ジョブで利用されるスキャン設定の群に含まれる利用順「１」のスキャン設定がＲＡＭ５８から読み出されて、利用順「１」のスキャン設定による原稿Ｓの画像の読み取りが開始される。トレイ１２に支持されている原稿Ｓがなくなり、その空になったトレイ１２に原稿Ｓが継ぎ足しで支持されると、利用順「１」のスキャン設定で画像が読み取られた原稿Ｓの枚数が所定枚数、つまりトレイ１２に支持可能な枚数である最大ＡＤＦ積載枚数以上であるかが判別される。そして、原稿Ｓの枚数が所定枚数未満であり、利用順「２」のスキャン設定の確認情報が確認不要を示す場合には、ＲＡＭ５８から利用順「１」の次の利用順「２」のスキャン設定が読み出され、その利用順「２」のスキャン設定を用いて、トレイ１２に継ぎ足された原稿Ｓの画像が読み取られる。
【００７１】
そのため、トレイ１２に継ぎ足された原稿Ｓについてのスキャン設定を行う必要をなくすことができる。これにより、複数の原稿Ｓの画像をスキャン設定を切り替えながら読み取らせる際のユーザの手間を軽減することができる。
【００７２】
利用順「１」のスキャン設定で画像が読み取られた原稿Ｓの枚数が所定枚数未満であり、利用順「２」のスキャン設定の確認情報が確認要を示す場合には、スキャン設定選択画面が外部装置のディスプレイに表示される。スキャン設定選択画面でスキャン設定が選択されると、そのスキャン設定を用いて、トレイ１２に継ぎ足された原稿Ｓの画像が読み取られる。この場合、利用順「２」のスキャン設定がドロップダウンリストにデフォルトで表示されている。そのため、利用順「２」のスキャン設定を利用する場合に、その利用順「２」のスキャン設定をユーザが設定する手間を省略できる。
【００７３】
一方、利用順「１」のスキャン設定で画像が読み取られた原稿Ｓの枚数が所定枚数以上である場合には、スキャン設定選択画面が外部装置のディスプレイに表示される。このスキャン設定選択画面でスキャン設定が選択されると、そのスキャン設定を用いて、トレイ１２に継ぎ足された原稿Ｓの画像が読み取られる。この場合、ユーザが任意のスキャン設定を選択することができ、その選択したスキャン設定で原稿Ｓの画像を読み取らせることができる。
【００７４】
原稿束読取ジョブで利用されるスキャン設定の群に含まれるすべてのスキャン設定が原稿Ｓの画像の読み取りに利用され、かつ、最後のスキャン設定を用いて所定枚数以上の原稿Ｓの画像が読み取られた場合には、トレイ１２に原稿Ｓが継ぎ足されても、スキャン設定が新たに設定されることなく、最後のスキャン設定を用いた原稿Ｓの読み取りが継続される。そのため、ユーザが原稿Ｓの画像の読み取りに利用するスキャン設定を選択する必要がなく、ユーザの手間を軽減することができる。
【００７５】
＜変形例＞
以上、本発明の一実施形態について説明したが、本発明は、他の形態で実施することもできる。
【００７６】
たとえば、前述の実施形態では、ＣＰＵ５６が各処理を実行する場合について説明した。しかしながら、制御部５５が複数のＣＰＵを備え、複数のＣＰＵが協働して各処理を実行してもよい。
【００７７】
また、前述の実施形態では、画像読取装置の一例として、画像読取機能を有する単機能の画像読取装置１を取り上げたが、画像読取装置は、画像形成機能を含む複数の機能を有する複合機に組み込まれていてもよい。
【００７８】
その他、前述の構成には、特許請求の範囲に記載された事項の範囲で種々の設計変更を施すことが可能である。
【符号の説明】
【００７９】
１：画像読取装置
１２：トレイ
２１：フィードローラ
２２：リバースローラ
２３：搬送ローラ対
２４：排出ローラ対
３１：第１画像読取部
３２：第２画像読取部
５６：ＣＰＵ
５８：ＲＡＭ
Ｓ：原稿
【図１】
2018174513.tif 000003
【図２】
2018174513.tif 000004
【図３】
2018174513.tif 000005
【図４】
2018174513.tif 000006
【図５Ａ】
2018174513.tif 000007
【図５Ｂ】
2018174513.tif 000008